(57)【要約】【課題】  利用状況に応じた待機状態で使用できる電子機器及び電源制御方法を提供すること。【解決手段】  実施形態によれば、電子機器は、蓄電手段、待機モード選択手段及び待機制御手段を具備する。蓄電手段は、外部電源によって供給される電力を蓄電する。待機モード選択手段は、前記外部電源によって電力が供給される第１待機モードと、前記蓄電された電力が供給される第２待機モードのいずれか一方の待機モードを選択する。待機制御手段は、前記電子機器が動作状態から待機状態に切り替えられたことに応じて、前記選択された待機モードで待機する。【選択図】図３
2013077250.tif 000002
【特許請求の範囲】
【請求項１】
電子機器であって、
外部電源によって供給される電力を蓄電する蓄電手段と、
前記外部電源によって電力が供給される第１待機モードと、前記蓄電された電力が供給される第２待機モードのいずれか一方の待機モードを選択する待機モード選択手段と、
前記電子機器が動作状態から待機状態に切り替えられたことに応じて、前記選択された待機モードで待機する待機制御手段とを具備する電子機器。
【請求項２】
前記電子機器を操作するためのリモートコントローラによって送信される、前記第１待機モードと前記第２待機モードとを切り替えるための信号を受信する受光部をさらに具備し、
前記待機モード選択手段は、前記信号が受信されたことに応じて、前記第１待機モードと前記第２待機モードのいずれか一方の待機モードを選択する請求項１記載の電子機器。
【請求項３】
前記待機制御手段は、前記第１待機モードが選択された場合、第１電力で待機し、前記第２待機モードが選択された場合、前記第１電力よりも低い第２電力で待機する請求項１記載の電子機器。
【請求項４】
前記第１待機モードによる前記待機状態から前記動作状態に復帰するまでの第１時間は、前記第２待機モードによる前記待機状態から前記動作状態に復帰するまでの第２時間よりも短い請求項１記載の電子機器。
【請求項５】
前記待機モード選択手段は、前記電子機器に設けられたボタンを用いた入力に応じて、前記第１待機モードと前記第２待機モードのいずれか一方の待機モードを選択する請求項１記載の電子機器。
【請求項６】
前記第１待機モードと前記第２待機モードのいずれか一方を選択するための選択画面を表示するよう制御する表示制御手段をさらに具備し、
前記待機モード選択手段は、前記選択画面を用いた入力に応じて、前記第１待機モードと前記第２待機モードのいずれか一方の待機モードを選択する請求項１記載の電子機器。
【請求項７】
前記選択画面は、前記電子機器の初期設定の際に表示される請求項６記載の電子機器。
【請求項８】
電子機器であって、
外部電源によって供給される電力を蓄電する蓄電手段と、
前記外部電源によって電力が供給される第１待機モードと、前記蓄電された電力が供給される第２待機モードのいずれか一方の選択モードを選択するための選択画面を表示するよう制御する表示制御手段と、
前記電子機器が動作状態から待機状態に切り替えられたことに応じて、前記選択画面を用いて選択された待機モードで待機する待機制御手段とを具備する電子機器。
【請求項９】
電子機器に供給される電力を制御する電源制御方法であって、
外部電源によって供給される電力を蓄電し、
前記外部電源によって電力が供給される第１待機モードと、前記蓄電された電力が供給される第２待機モードのいずれか一方の待機モードを選択し、
前記電子機器が動作状態から待機状態に切り替えられたことに応じて、前記選択された待機モードで待機する電源制御方法。
【発明の詳細な説明】
【技術分野】
【０００１】
本発明の実施形態は、省電力機能を有する電子機器及び該機器に適用される電源制御方法に関する。
【背景技術】
【０００２】
近年、消費者による省エネルギーに対する関心の高まりと共に、省電力機能を備える様々な電子機器が普及している。そのような電子機器には、使用時の消費電力を抑制するための各種の機能が組み込まれている。例えば、テレビジョン受信機のような電子機器では、一定時間、操作が行わなければ自動的に電源をオフにする機能が設けられている。このような機能により、電子機器の消費電力を抑制することができる。
【０００３】
しかし、電子機器は、電源プラグがコンセント（アウトレットとも称する）に差し込まれている間、電源がオフにされた待機状態（システムスタンバイ状態）でも通電されており、いわゆる待機電力が発生する。そのため、電子機器に供給される電力を完全になくすためには、電源プラグをコンセントから抜く必要がある。しかし、電源プラグがコンセントから抜かれている間には、電子機器を、例えばリモートコントローラを用いて操作することはできないので、ユーザによる利便性は低下する。そのため、待機電力を削減するための種々の技術が提案されている。
【先行技術文献】
【特許文献】
【０００４】
【特許文献１】特許第３４４９１１２号公報
【発明の概要】
【発明が解決しようとする課題】
【０００５】
待機電力を削減するための技術では、例えば、待機時に、一部のモジュールを動作させないことによって（すなわち、一部のモジュールに電力を供給しないことによって）、消費電力が削減される。そのような待機時に動作していないモジュールは、待機状態から復帰し、使用可能になるまでに時間を要することがある。そのため、待機電力を削減するための技術を適用した電子機器では、ユーザによる利便性が低下する可能性がある。
【０００６】
本発明は、利用状況に応じた待機状態で使用できる電子機器及び電源制御方法を提供することを目的とする。
【課題を解決するための手段】
【０００７】
実施形態によれば、電子機器は、蓄電手段、待機モード選択手段及び待機制御手段を具備する。蓄電手段は、外部電源によって供給される電力を蓄電する。待機モード選択手段は、前記外部電源によって電力が供給される第１待機モードと、前記蓄電された電力が供給される第２待機モードのいずれか一方の待機モードを選択する。待機制御手段は、前記電子機器が動作状態から待機状態に切り替えられたことに応じて、前記選択された待機モードで待機する。
【図面の簡単な説明】
【０００８】
【図１】実施形態に係る電子機器の外観の例を示す斜視図。
【図２】同実施形態の電子機器のシステム構成の例を示すブロック図。
【図３】同実施形態の電子機器に設けられる電源制御部のシステム構成の例を示すブロック図。
【図４】同実施形態の電子機器を操作するためのリモートコントローラの外観の例を示す図。
【図５】同実施形態の電子機器によって表示される待機モード設定画面の例を示す図。
【図６】同実施形態の電子機器によって実行される待機モード切替処理の手順の例を示すフローチャート。
【図７】同実施形態の電子機器によって実行される電源オフ制御処理の手順の例を示すフローチャート。
【図８】同実施形態の電子機器によって実行される電源オン制御処理の手順の例を示すフローチャート。
【発明を実施するための形態】
【０００９】
以下、実施の形態について図面を参照して説明する。  
図１は、実施形態に係る電子機器の外観を示す斜視図である。この電子機器は、例えばデジタルテレビジョン受信機１１として実現されている。なお、この電子機器は、パーソナルビデオレコーダ、パーソナルコンピュータ等の各種のコンシューマ機器としても実現され得る。デジタルテレビジョン受信機１１は、薄い箱形の筐体を有しており、その前面下部には、リモートコントローラによって送信される信号を受信する受光部１８、ＬＥＤ１３などが配置されている。また、デジタルテレビジョン受信機１１の右側面には、例えば操作部１６が設けられている。操作部１６には、テレビジョン受信機１１を操作するための各種のボタンが設けられる。操作部１６には、例えば、デジタルテレビジョン受信機１１を電源オン／電源オフするための主電源ボタン１６Ａ、待機時のモードを切り替えるための待機モード切替ボタン１６Ｂ等が設けられている。ＬＥＤ１３には、デジタルテレビジョン受信機１１が電源オンの状態である場合と電源オフの状態である場合とで、異なる色が点灯される。なお、ＬＥＤ１３は、デジタルテレビジョン受信機１１が電源オンの状態である場合に点灯し、電源オフの状態である場合に消灯されるようにしてもよい。
【００１０】
図２は、デジタルテレビジョン受信機１１のシステム構成の例を示す。  
デジタルテレビジョン受信機１１は、映像表示部１４、スピーカ１５、操作部１６、受光部１８、放送信号入力端子４８，５３、アナログ信号入力端子６０、出力端子６３，６４、チューナ４９，５４、ＰＳＫ復調器５０、ＯＦＤＭ復調器５５、信号処理部５１、音声処理部５９、グラフィック処理部５８、映像処理部６２、ＯＳＤ信号生成部６１、制御部６５、電源制御部８１等を備える。なお、受信した映像信号の処理を実行する映像表示部１４、スピーカ１５、ＰＳＫ復調器５０、ＯＦＤＭ復調器５５、信号処理部５１、音声処理部５９、グラフィック処理部５８、映像処理部６２、及びＯＳＤ信号生成部６１をテレビジョン制御回路（ＴＶ制御回路）１２とも称する。
【００１１】
放送信号入力端子４８及び放送信号入力端子５３には、それぞれＢＳ／ＣＳデジタル放送受信用アンテナ４７及び地上波放送受信用アンテナ５２が接続される。また、受光部１８は、リモートコントローラ１７によって出力される信号（例えば、赤外線による信号）を受信する。
【００１２】
制御部６５は、デジタルテレビジョン受信機１１内の各部の動作を制御する。制御部６５は、ＣＰＵ７１、ＲＯＭ６６、ＲＡＭ６７、及び不揮発性メモリ６８を備える。ＲＯＭ６６は、ＣＰＵ７１によって実行される制御プログラムを格納する。不揮発性メモリ６８は、各種の設定情報及び制御情報を格納する。ＣＰＵ７１は、処理に必要な命令群及びデータをＲＡＭ６７にロードし、処理を実行する。
【００１３】
ＢＳ／ＣＳデジタル放送受信用アンテナ４７は、衛星デジタルテレビジョン放送信号を受信する。ＢＳ／ＣＳデジタル放送受信用アンテナ４７は、受信した衛星デジタルテレビジョン放送信号を、入力端子４８を介して衛星デジタル放送用のチューナ４９に出力する。チューナ４９は、この放送信号からユーザが選択しているチャンネルの放送信号を選局する。チューナ４９は、選局した放送信号をＰＳＫ復調器５０に出力する。ＰＳＫ（Phase Shift Keying）復調器５０は、チューナ４９により選局された放送信号をデジタルの映像信号及び音声信号に復調する。ＰＳＫ復調器５０は、復調したデジタルの映像信号及び音声信号を信号処理部５１に出力する。
【００１４】
地上波放送受信用アンテナ５２は、地上デジタルテレビジョン放送信号を受信する。地上波放送受信用アンテナ５２は、地上デジタルテレビジョン放送信号を、入力端子５３を介してチューナ５４に出力する。チューナ５４は、この放送信号からユーザが選択しているチャンネルの放送信号を選局する。チューナ５４は、選局した放送信号をＯＦＤＭ復調器５５に出力する。ＯＦＤＭ（Orthogonal Frequency Division Multiplexing）復調器５５は、チューナ５４により選局された放送信号をデジタルの映像信号及び音声信号に復調する。ＯＦＤＭ復調器５５は復調したデジタルの映像信号及び音声信号を信号処理部５１に出力する。
【００１５】
また、信号処理部５１には、入力端子６０が接続される。この入力端子６０は、デジタルテレビジョン受信機１１に対して、外部からアナログの映像信号及び音声信号を入力するための端子である。信号処理部５１は、入力端子６０を介して入力されたアナログの映像信号及び音声信号を、それぞれデジタルの映像信号及び音声信号に変換する。
【００１６】
信号処理部５１は、変換されたデジタルの映像信号及び音声信号、又はＰＳＫ復調器５０もしくはＯＦＤＭ復調器５５によって出力されたデジタルの映像信号及び音声信号に対して所定のデジタル信号処理を施す。信号処理部５１は、所定のデジタル信号処理を施した映像信号及び音声信号を、グラフィック処理部５８及び音声処理部５９に出力する。
【００１７】
音声処理部５９は、入力されたデジタル音声信号を、スピーカ１５で再生可能なアナログ音声信号に変換する。音声処理部５９は、このアナログ音声信号をスピーカ１５に出力する。スピーカ１５は、入力されたアナログ音声信号に基づいて音声を再生する。音声処理部５９はさらに、出力端子６４を介してアナログ音声信号を外部に導出してもよい。
【００１８】
グラフィック処理部５８は、信号処理部５１から出力されるデジタル映像信号に、ＯＳＤ（On Screen Display）信号生成部６１で生成されるメニュー等のＯＳＤ信号を重畳する。グラフィック処理部５８は、ＯＳＤ信号が重畳された映像信号を映像処理部６２に出力する。また、グラフィック処理部５８は、信号処理部５１の出力である映像信号と、ＯＳＤ信号生成部６１の出力であるＯＳＤ信号とを選択的に出力してもよい。
【００１９】
映像処理部６２は、入力されたデジタル映像信号に所定の処理を施す。この所定の処理は、例えば、入力されたデジタル映像信号を鮮鋭化するための鮮鋭化処理である。  
映像処理部６２は、所定の処理が施されたデジタル映像信号を、映像表示部１４で表示可能なアナログ映像信号に変換する。映像処理部６２は、このアナログ映像信号を映像表示部１４に出力する。映像表示部１４は、入力されたアナログ映像信号に基づいて映像を表示する。映像処理部６２はさらに、出力端子６３を介してアナログ映像信号を外部に導出してもよい。
【００２０】
操作部１６には、上述のように、例えば、テレビジョン受信機１１の電源のオンとオフとを切り替えるための主電源ボタン１６Ａや、待機モードを切り替えるための待機モード切替ボタン１６Ｂ等が設けられる。操作部１６は、ボタンが押されたことに応じて、当該ボタンに対応する操作信号を電源制御部８１に出力する。
【００２１】
受光部１８は、リモートコントローラ１７によって送信されたリモコン信号を受信（受光）する。受光部１８は、受信したリモコン信号を電源制御部８１に出力する。
【００２２】
電源制御部８１は、コンセント（アウトレット）に接続される電源プラグ１９を介して外部電源（例えば、商用交流（ＡＣ）電源）によって供給される電力を制御する。また、電源制御部８１には、操作部１６による操作信号、もしくは受光部１８で受信されるリモートコントローラ１７によるリモコン信号が入力される。電源制御部８１は、これら操作信号及びリモコン信号（コマンド）に応じて、デジタルテレビジョン受信機１１内の各部に供給される電力を制御する。また、電源制御部８１は、操作信号及びリモコン信号を制御部６５に出力する。制御部６５は、電源制御部８１によって出力された信号に応じて、ＴＶ制御回路１２内の各部の制御を行う。
【００２３】
具体的には、電源制御部８１は、テレビジョン受信機１１が電源オンと電源オフのいずれの状態であるかに応じて、テレビジョン受信機１１内で電力が供給されるモジュールを制御する。電源オンの状態は、映像が画面に表示され、操作部１６又はリモートコントローラ１７を用いた各種の操作を受け付けるような通常の動作状態を示す。また、電源オフの状態は、映像が画面に表示されず、操作部１６又はリモートコントローラ１７を用いた、テレビジョン受信機１１を電源オンにするための操作だけを受け付ける待機状態（システムスタンバイ）を示す。この待機状態（電源オフ状態）では、テレビジョン受信機１１は、第１電力で待機する通常待機モード（第１待機モードとも称する）と、第１電力よりも低い第２電力で待機するエコ待機モード（第２待機モードとも称する）のいずれか一方のモードで待機する。ユーザは、操作部１６やリモートコントローラ１７等を用いて、通常待機モードとエコ待機モードのいずれか一方を選択する。
【００２４】
図３は、電源制御部８１のシステム構成の例を示す。  
電源制御部８１は、リレー８２、メイン電源回路８３、サブ電源回路８４、ダイオード８５、蓄電部８６、サブマイクロコンピュータ（サブマイコン）８７等を備える。上述のように、電源制御部８１には、電源プラグ１９を介してＡＣ電源から電力が供給される。
【００２５】
リレー（スイッチとも称する）８２は、電源プラグ１９と、メイン電源回路８３及びサブ電源回路８４との間に設けられ、ＡＣ電源による、メイン電源回路８３及びサブ電源回路８４への電力の供給を制御する。つまり、リレー８２が接続されることによって、ＡＣ電源からの電力がメイン電源回路８３及びサブ電源回路８４に供給される。また、リレー８２が開放されることによって（すなわち、リレー８２が接続されないことによって）、ＡＣ電源からの電力がメイン電源回路８３及びサブ電源回路８４に供給されなくなる。
【００２６】
メイン電源回路８３は、リレー８２が接続されている間、ＡＣ電源から供給される交流電力を直流電力（例えば、１２Ｖ／３Ａ）にＡＣ／ＤＣ変換する。また、メイン電源回路８３は、その直流電力を、種々の電圧（例えば、５Ｖ、３．３Ｖ、１．８Ｖ）に変換することもできる。メイン電源回路８３は、変換された直流電力をＴＶ制御回路１２内の各部に供給する。ＴＶ制御回路１２内の各部は、メイン電源回路８３によって供給された電力を用いて、受信された映像信号に基づく映像を画面１４に表示する処理等を実行する。また、メイン電源回路８３は、リレー８２が開放されている間には、ＡＣ電源から交流電力が供給されないので、ＴＶ制御回路１２に直流電力を供給しない。
【００２７】
サブ電源回路８４は、リレー８２が接続されている間、ＡＣ電源から供給される交流電力を直流電力（例えば、１２Ｖ／３Ａ）にＡＣ／ＤＣ変換する。また、サブ電源回路８４は、その直流電力を、種々の電圧（例えば、５Ｖ、３．３Ｖ、１．８Ｖ）に変換することもできる。サブ電源回路８４は、変換された直流電力を制御部６５、サブマイコン８７及び蓄電部８６に供給する。また、サブ電源回路８４は、サブマイコン８７を介して、受光部１８と操作部１６とにも直流電力を供給する。制御部６５、サブマイコン８７、受光部１８、及び操作部１６は、サブ電源回路８４によって供給された電力を用いて、各々の処理を実行する。蓄電部８６は、サブ電源回路８４によって供給された電力を蓄電（充電）する。蓄電部８６は、例えば、スーパーキャパシタと称される、大容量のコンデンサである。サブ電源回路８４は、リレー８２が開放されている間には、ＡＣ電源から交流電力が供給されないので、制御部６５、サブマイコン８７、蓄電部８６、受光部１８、及び操作部１６に直流電力を供給しない。
【００２８】
制御部６５は、受光部１８によって受信された電源オン／オフを示すリモコン信号、又は操作部１６を用いて入力された電源オン／オフを示す操作信号に応じて、メイン電源回路８３を介した電力の供給をオン／オフするための制御信号をメイン電源回路８３に出力する。具体的には、制御部６５は、電源のオンとオフとを切り替えるための主電源ボタン１６Ａが押されたことを示す操作信号に応じて、メイン電源回路８３を介した電力の供給をオン／オフするための制御信号をメイン電源回路８３に出力する。また、制御部６５は、リモートコントローラ１７に設けられた、デジタルテレビジョン受信機１１の電源のオンとオフとを切り替えるための電源ボタンが押されたことを示すリモコン信号に応じて、メイン電源回路８３を介した電力の供給をオン／オフするための制御信号をメイン電源回路８３に出力する。
【００２９】
メイン電源回路８３は、制御部６５によって出力された制御信号に応じて、ＴＶ制御回路１２への電力の供給を制御する。具体的には、制御部６５によって電力の供給をオンにするための制御信号が出力された場合、メイン電源回路８３は、ＴＶ制御回路１２に電力を供給する。一方、制御部６５によって電力の供給をオフにするための制御信号が出力された場合、メイン電源回路８３は、ＴＶ制御回路１２に電力を供給しない。
【００３０】
また、サブマイコン８７は、受光部１８によって受信された、待機モードを切り替えるためのリモコン信号、又は操作部１６を用いて入力された、待機モードを切り替えるための操作信号に応じて、待機モードを通常待機モードとエコ待機モードのいずれか一方に設定する。
【００３１】
図４は、受光部１８に送信される各種のリモコン信号を入力するためのリモートコントローラ１７の例を示す。リモートコントローラ１７は、操作ボタンが押されたことに応じて、その操作ボタンに対応するリモコン信号を送信する。リモートコントローラ１７は、電源ボタン７１１、“エコ待機モード”ボタン７２１、“通常待機モード”ボタン７２２、“決定”ボタン７４１、“メニュー”ボタン７４５、“番組表”ボタン７４６、“戻る”ボタン７４７、“終了”ボタン７４８、“上”ボタン７４Ｕ、“下”ボタン７４Ｄ、“左”ボタン７４Ｌ、“右”ボタン７４Ｒ等を備える。
【００３２】
電源ボタン７１１は、デジタルテレビジョン受信機１１の電源オン（動作状態）と電源オフ（待機状態）とを切り替えるための操作ボタンである。“エコ待機モード”ボタン７２１は、待機モードをエコ待機モードに設定するための操作ボタンである。“通常待機モード”ボタン７２２は、待機モードを通常待機モードに設定するための操作ボタンである。“決定”ボタン７４１、“上”ボタン７４Ｕ、“下”ボタン７４Ｄ、“左”ボタン７４Ｌ、及び“右”ボタン７４Ｒは、画面に表示されたメニュー等を操作するためのボタンである。
【００３３】
“メニュー”ボタン７４５は、各種の設定を行うためのメニュー画面を表示させるための操作ボタンである。“番組表”ボタン７４６は、番組表を表示させるための操作ボタンである。“戻る”ボタン７４７は、操作経過において、以前の操作状態に戻るための操作ボタンである。“終了”ボタン７４８は、現在のモードを終了させるための操作ボタンである。
【００３４】
サブマイコン８７は、電源オン状態である場合に、電源ボタン７１１が押されたことに応じて（受光部１８が電源ボタン７１１に対応する信号を受信したことに応じて）、電源オン状態から電源オフ状態に遷移する。一方、サブマイコン８７は、電源オフ状態である場合に、電源ボタン７１１が押されたことに応じて（受光部１８が電源ボタン７１１に対応する信号を受信したことに応じて）、電源オフ状態から電源オン状態に遷移する。また、サブマイコン８７は、“通常待機モード”が設定されている場合に、“エコ待機モード”ボタン７２１が押されたことに応じて（受光部１８が“エコ待機モード”ボタン７２１に対応する信号を受信したことに応じて）、“通常待機モード”から“エコ待機モード”に遷移する。一方、サブマイコン８７は、“エコ待機モード”が設定されている場合に、“通常待機モード”ボタン７２２が押されたことに応じて（受光部１８が“通常待機モード”ボタン７２２に対応する信号を受信したことに応じて）、“エコ待機モード”から“通常待機モード”に遷移する。  
なお、サブマイコン８７は、リモートコントローラ１７に待機モードを切り替えるための一つのボタンを設け、そのボタンが押される毎に、通常待機モードとエコ待機モードとを交互に切り替えるようにしてもよい。
【００３５】
また、サブマイコン８７は、待機モードを設定するための設定画面を用いて、待機モードを設定してもよい。  
図５は、待機モードを設定するための待機モード設定画面９１の例を示す。待機モード設定画面９１を画面に表示するための映像信号は、例えば、ＯＳＤ信号生成部６１によって生成される。また、待機モード設定画面９１は、例えば、デジタルテレビジョン受信機１１の初期設定の際に、画面（映像表示部）１４に表示される。この初期設定では、チャンネルを設定（スキャン）するための視聴地域の設定、データ放送を視聴するための郵便番号の設定、表示される映像を調整するためのメニュー画面の設定等、映像の視聴を開始するための基本的な設定が行われる。初期設定において待機モードを設定することにより、待機モード設定のためのメニューを呼び出す操作を行う等の、ユーザによる手間を省くことができる。また、初期設定時にエコ待機モードに設定された場合には、テレビジョン受信機１１の使用を開始した時点から、省電力に寄与することができる。なお、待機モード設定画面９１は、例えば、リモートコントローラ１７の“メニュー”ボタン７４５が押されたことに応じて画面（映像表示部）１４に表示されてもよい。
【００３６】
待機モード設定画面９１は、エコ待機モードと通常待機モードのいずれか一方を選択するためのボタン９２，９３と、選択状態（フォーカスされた状態）になっている待機モードの説明が表示される説明エリア９４とを含む。
【００３７】
ユーザは、待機モード設定画面９１を用いて、待機モードをエコ待機モードと通常待機モードのいずれか一方に設定する。ユーザは、例えば、リモートコントローラ１７を用いて、“上”ボタン７４Ｕと“下”ボタン７４Ｄとでエコ待機モードと通常待機モードのいずれか一方を選択状態にし、“決定”ボタン７４１で待機モードを決定する。また、“戻る”ボタン７４７で前の画面に戻り、“終了”ボタン７４８で待機モードの設定を中止することもできる。
【００３８】
サブマイコン８７は、待機モードがエコ待機モードに設定されている場合、受光部１８によって受信された電源オン／オフを示すリモコン信号、又は操作部１６を用いて入力された電源オン／オフを示す操作信号に応じて、リレー８２を開放／接続するための制御信号をリレー８２に出力する。つまり、サブマイコン８７は、待機状態から動作状態に切り替えるための電源オンを示す信号、又は動作状態から待機状態に切り替えるための電源オフを示す信号に応じて、リレー８２を開放／接続するための制御信号をリレー８２に出力する。
【００３９】
具体的には、サブマイコン８７は、待機モードがエコ待機モードに設定されている際に、電源オフを示すリモコン信号（又は操作信号）を受信した場合、リレー８２を開放するための制御信号をリレー８２に出力する。また、サブマイコン８７は、待機モードがエコ待機モードに設定されている際に、電源オンを示すリモコン信号（又は操作信号）を受信した場合、リレー８２を接続するための制御信号をリレー８２に出力する。なお、待機モードが通常待機モードに設定されている場合、サブマイコン８７は、リレー８２を開放／接続するための制御信号を出力しない。
【００４０】
リレー８２は、サブマイコン８７によって出力された制御信号に応じて、開放／接続される。つまり、リレー８２は、待機モードがエコ待機モードに設定されている間に電源がオフにされた場合、開放される。また、リレー８２は、待機モードがエコ待機モードに設定されている間に電源がオンにされた場合、接続される。
【００４１】
リレー８２が開放されている間、テレビジョン受信機１１内の各部には、ＡＣ電源からの電力は供給されないが、サブマイコン８７、受光部１８及び操作部１６（図３の点線で囲まれた部分）には、蓄電部８６から電力が供給される。つまり、待機モードがエコ待機モードに設定されている間に、テレビジョン受信機１１の電源オフが指示された場合には、リレー８２が開放されるので、ＡＣ電源から電力が供給されない待機状態を実現することができる。また、蓄電部８６から放電される電力は、ダイオード８５が配置されていることによって、メイン電源回路８３、サブ電源回路８４及び制御部６５には供給されない。一方、待機モードが通常待機モードに設定されている間に、テレビジョン受信機１１の電源オフが指示された場合には、リレー８２が接続されたままであるので、メイン電源回路８３、サブ電源回路８４及び制御部６５にもＡＣ電源から電力が供給される。したがって、エコ待機モードでは、サブマイコン８７、受光部１８及び操作部１６以外には電力が供給されないので、エコ待機モードでの待機電力は、通常待機モードでの待機電力よりも削減される。
【００４２】
また、通常待機モードでは、制御部６５に電力が供給されるので、待機状態（電源オフ状態）から動作状態（電源オン状態）に切り替えられた際の起動時間（例えば、映像や番組表が表示されるまでの時間）が、エコ待機モードでの起動時間よりも短縮される。つまり、通常待機モードによる待機状態から動作状態に復帰するまでの第１時間は、エコ待機モードによる待機状態から動作状態に復帰するまでの第２時間よりも短い。
【００４３】
ユーザは、省電力を優先する場合と利便性を優先する場合とで、エコ待機モードと通常待機モードとを切り替えて、テレビジョン受信機１１を利用することができる。そして、エコ待機モードと通常待機モードは、上述のように、リモートコントローラ１７や操作部１６等を用いて容易に選択され、切り替えることができる。したがってユーザは、利用状況に応じた待機状態でテレビジョン受信機１１を使用することができる。
【００４４】
なお、サブマイコン８７は、エコ待機モードで待機する場合に、ＬＥＤ１３を消灯してもよい。ＬＥＤ１３を消灯することにより、消費電力（待機電力）をより削減することができる。但し、サブマイコン８７は、エコ待機モードで待機している間に、予約録画や番組情報の取得等を実行することがある。その際には、予約された録画がきちんと実行されていること等をユーザが確認できるように、サブマイコン８７はＬＥＤ１３を点灯してもよい。なお、サブマイコン８７は、通常待機モードで待機する場合にはＬＥＤ１３を消灯しなくてもよい。
【００４５】
なお、テレビジョン受信機１１には、制御部６５に接続される第２の受光部をさらに設けてもよい。第２の受光部は、受光部１８と同様にリモートコントローラ１７によるリモコン信号を受信し、受信したリモコン信号を制御部６５に出力する。その場合、制御部６５は、第２の受光部によって出力された信号に応じて、ＴＶ制御回路１２内の各部の制御を行う。この第２の受光部は、例えば、制御部６５を介して電力が供給されるので、制御部６５に電力が供給されている際に動作する。
【００４６】
次いで、図６に示すフローチャートを参照して、電源制御部８１によって実行される待機モード切替処理の手順の例について説明する。  
まず、サブマイコン８７は、待機モードの切替が要求されたか否かを判定する（ブロックＢ１１）。サブマイコン８７は、例えば、リモートコントローラ１７に設けられた“通常待機モード”ボタン７２２又は“エコ待機モード”ボタン７２１が押された際に、待機モードの切替が要求されたと判定する。また、サブマイコン８７は、例えば、待機モード設定画面９１を用いて、待機モードが設定（変更）された際に、待機モードの切替が要求されたと判定する。サブマイコン８７は、さらに、操作部１６に設けられた“通常待機モード”と“エコ待機モード”とを切り替えるためのボタン１６Ｂが操作された際に、待機モードの切替が要求されたと判定してもよい。待機モードの切替が要求されていない場合（ブロックＢ１１のＮＯ）、ブロックＢ１１に戻り、再度、待機モードの切替が要求されたか否かが判定される。
【００４７】
一方、待機モードの切替が要求されている場合（ブロックＢ１１のＹＥＳ）、サブマイコン８７は、要求された待機モードが“エコ待機モード”であるか否かを判定する（ブロックＢ１２）。要求された待機モードが“エコ待機モード”である場合（ブロックＢ１２のＹＥＳ）、サブマイコン８７は、待機モードを“エコ待機モード”に設定する（ブロックＢ１３）。サブマイコン８７は、例えば、不揮発性メモリ６８内の所定の記憶領域に、待機モードが“エコ待機モード”であることを記憶する。
【００４８】
また、要求された待機モードが“エコ待機モード”でない場合（すなわち、要求された待機モードが“通常待機モード”である場合）（ブロックＢ１２のＮＯ）、サブマイコン８７は、待機モードを“通常待機モード”に設定する（ブロックＢ１４）。サブマイコン８７は、例えば、不揮発性メモリ６８内の所定の記憶領域に、待機モードが“通常待機モード”であることを記憶する。
【００４９】
また、図７のフローチャートは、電源オフ制御処理の手順の例を示す。電源オフ制御処理は、デジタルテレビジョン受信機１１が、電源オン状態（動作状態）から電源オフ状態（待機状態）に遷移する際に実行される。
【００５０】
まず、サブマイコン８７は、テレビジョン受信機１１を電源オンの状態から電源オフの状態に切り換えるための電源オフ信号を受信したか否かを判定する（ブロックＢ２１）。電源オフ信号は、例えば、テレビジョン受信機１１が電源オンの状態である際に、リモートコントローラ１７の電源ボタン７１１が押されたことに応じて、受光部１８によってサブマイコン８７に出力される。電源オフ信号を受信していない場合（ブロックＢ２１のＮＯ）、ブロックＢ２１に戻り、再度、電源オフ信号が受信されたか否かが判定される。
【００５１】
一方、電源オフ信号を受信した場合（ブロックＢ２１のＹＥＳ）、制御部６５は、メイン電源回路８３を介した、ＴＶ制御回路１２への電力の供給をオフにする（ブロックＢ２２）。つまり、メイン電源回路８３は、ＴＶ制御回路１２に電力を供給するための回路を切断する。
【００５２】
次いで、サブマイコン８７は、現在設定されている待機モードが“エコ待機モード”であるか否かを判定する（ブロックＢ２３）。現在設定されている待機モードが“エコ待機モード”である場合（ブロックＢ２３のＹＥＳ）、サブマイコン８７は、リレー８２を開放するための制御信号をリレー８２に送信する（ブロックＢ２４）。そして、サブマイコン８７によって送信された制御信号に応じて、リレー８２が開放される（ブロックＢ２５）。これにより、ＡＣ電源によるメイン電源回路８３及びサブ電源回路８４への給電がオフにされる。そして、蓄電部８６は、蓄電部８６に蓄電された電力をサブマイコン８７、受光部１８及び操作部１６に供給する（ブロックＢ２６）。
【００５３】
また、現在設定されている待機モードが“エコ待機モード”でない場合（すなわち、現在設定されている待機モードが“通常待機モード”である場合）（ブロックＢ２３のＮＯ）、サブ電源回路８４は、ＡＣ電源から供給される電力を制御部６５、サブマイコン８７、受光部１８、操作部１６、及び蓄電部８６に供給する（ブロックＢ２７）。
【００５４】
また、図８のフローチャートは、電源オン制御処理の手順の例を示す。電源オン制御処理は、デジタルテレビジョン受信機１１が、電源オフ状態（待機状態）から電源オン状態（動作状態）に遷移する際に実行される。
【００５５】
まず、サブマイコン８７は、テレビジョン受信機１１を電源オフの状態から電源オンの状態に切り換えるための電源オン信号を受信したか否かを判定する（ブロックＢ３１）。電源オン信号は、例えば、テレビジョン受信機１１が電源オフの状態である際に、リモートコントローラ１７の電源ボタン７１１が押されたことに応じて、受光部１８によってサブマイコン８７に出力される。電源オン信号を受信していない場合（ブロックＢ３１のＮＯ）、ブロックＢ３１に戻り、再度、電源オン信号が受信されたか否かが判定される。
【００５６】
一方、電源オン信号を受信した場合（ブロックＢ３１のＹＥＳ）、制御部６５は、メイン電源回路８３を介した、ＴＶ制御回路１２への電力の供給をオンにする（ブロックＢ３２）。つまり、メイン電源回路８３は、ＴＶ制御回路１２に電力を供給するための回路を接続する。
【００５７】
次いで、サブマイコン８７は、現在設定されている待機モードが“エコ待機モード”であるか否かを判定する（ブロックＢ３３）。現在設定されている待機モードが“エコ待機モード”である場合（ブロックＢ３３のＹＥＳ）、サブマイコン８７は、リレー８２を接続するための制御信号をリレー８２に送信する（ブロックＢ３４）。そして、サブマイコン８７によって送信された制御信号に応じて、リレー８２が接続される。（ブロックＢ３５）。これにより、ＡＣ電源によるメイン電源回路８３及びサブ電源回路８４への給電がオンにされる。そして、メイン電源回路８３は、ＴＶ制御回路１２にＡＣ電源から電力を供給し、サブ電源回路８４は、制御部６５、サブマイコン８７、受光部１８、操作部１６、及び蓄電部８６にＡＣ電源から電力を供給する（ブロックＢ３６）。
【００５８】
また、現在設定されている待機モードが“エコ待機モード”でない場合（すなわち、現在設定されている待機モードが“通常待機モード”である場合）（ブロックＢ３３のＮＯ）、メイン電源回路８３は、ＴＶ制御回路１２にＡＣ電源から電力を供給し、サブ電源回路８４は、制御部６５、サブマイコン８７、受光部１８、操作部１６、及び蓄電部８６にＡＣ電源から電力を供給する（ブロックＢ３６）。
【００５９】
以上の処理により、テレビジョン受信機１１の電源がオフにされた待機時に、“エコ待機モード”では、“通常待機モード”よりも待機電力を低減することができる。また、“通常待機モード”では、テレビジョン受信機１１の電源がオンにしてから映像を視聴するまでの起動時間や番組表を閲覧できるまでの時間を、“エコ待機モード”よりも短縮することができる。したがって、ユーザは、待機モードを選択することによって、利用シーンに合った待機モードでテレビジョン受信機１１を利用することができる。また、ユーザは、リモートコントローラ１７に設けられたボタン７２１，７２２、テレビジョン受信機１１本体に設けられた待機モード切替ボタン１６Ｂ、待機モード設定画面９１等を用いて、待機モードを容易に選択することができる。
【００６０】
したがって、本実施形態によれば、利用状況に応じた待機状態でテレビジョン受信機１１のような電子機器を使用できる。
【００６１】
なお、本実施形態の待機モード切替処理、電源オフ制御処理及び電源オン制御処理の手順は全てソフトウェアによって実行することができる。このため、待機モード切替処理、電源オフ制御処理及び電源オン制御処理の手順を実行するプログラムを格納したコンピュータ読み取り可能な記憶媒体を通じてこのプログラムを通常のコンピュータにインストールして実行するだけで、本実施形態と同様の効果を容易に実現することができる。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
１６…操作部、１８…受光部、１９…電源プラグ、６５…制御部、８１…電源制御部、８２…リレー、８３…メイン電源回路、８４…サブ電源回路、８５…ダイオード、８６…蓄電部、８７…サブマイクロコンピュータ。
【図１】
2013077250.tif 000003
【図２】
2013077250.tif 000004
【図３】
2013077250.tif 000005
【図４】
2013077250.tif 000006
【図５】
2013077250.tif 000007
【図６】
2013077250.tif 000008
【図７】
2013077250.tif 000009
【図８】
2013077250.tif 000010